(57)【要約】【課題】騒音を抑制しながら室内ファンのファンに付着した結露を乾燥させることを目的としている。【解決手段】冷房運転を行い室内温度が目標温度を下回り、圧縮機１２が停止した際に、室内ファン４のファン回転数が所定値以下のときには、室内ファン４のファン回転数の増大による騒音の大きさが、室内機１０１に冷媒が流れている状態における該冷媒の流れに起因して室内機１０１で発生する騒音の大きさの範囲内となるように、室内ファン４のファン回転数を増大させるものである。【選択図】図４
2012184886.tif 000002
【特許請求の範囲】
【請求項１】
圧縮機、室外熱交換器、膨張弁、及び室内熱交換器を接続した冷凍サイクルを有し、
前記圧縮機、及び前記室外熱交換器が少なくとも備えられた室外機と、
前記室内熱交換器、前記室内熱交換器に室内空気を送る室内ファン、及び前記室内熱交換器により熱交換された空気の吹出し方向を調整する風向変更手段が少なくとも備えられた室内機と、
を接続した空気調和機において、
冷房運転を行い室内温度が目標温度を下回り、前記圧縮機が停止し、前記室内ファンのファン回転数が所定値以下のときに、
前記室内ファンのファン回転数の増大による騒音の大きさが、前記室内機に冷媒が流れている状態における該冷媒の流れに起因して前記室内機で発生する騒音の大きさの範囲内となるように、前記室内ファンのファン回転数を増大させる
ことを特徴とする空気調和機。
【請求項２】
ファン回転数として予め設定されている最高回転数と最低回転数の中央値と、前記最低回転数との差の１／４を、前記最低回転数に加えたものを上限値として、前記ファン回転数を増大させる
ことを特徴とする請求項１に記載の空気調和機。
【請求項３】
前記風向変更手段は、
前記室内機から吹出される空気の風量が最大となるように制御される
ことを特徴とする請求項１又は２に記載の空気調和機。
【請求項４】
風量の増減指示を受けつける遠隔制御装置を有し、
前記遠隔制御装置を介して風量の増減指示があったとき、この指示を優先して前記室内ファンが制御される
ことを特徴とする請求項１〜３に記載の空気調和機。
【発明の詳細な説明】
【技術分野】
【０００１】
本発明は、空気調和機に関するものである。
【背景技術】
【０００２】
空気調和機には、運転時における回転数が一定である圧縮機と、ファン回転数をたとえば「Ｈｉ／Ｍｅ／Ｌｏ」などのように所定の値に指定する送風機とを備えた一定速の空気調和機が存在する。なお、Ｈｉにおけるファン回転数がたとえば「１２００ｒｐｍ」、Ｍｅにおけるファン回転数がたとえば「９５０ｒｐｍ」、Ｌｏにおけるファン回転数がたとえば「７００ｒｐｍ」などと定められている。
一定速の圧縮機を備えた空気調和機は、冷房運転時において室内温度が目標温度に達すると、圧縮機の運転が停止する。ここで、圧縮機が停止した状態で送風機が運転していると、室内の暖かくて湿度の高い空気が室内機に取り込まれる。これにより、送風機のファンに結露が付着することがしばしば発生する。
【０００３】
この一定速の圧縮機を備えた空気調和機において、送風機のファン回転数が「Ｌｏ」に設定されていると、送風機のファンに付着した結露が成長しやすくなる。これは、回転数が遅い分だけファンに付着した結露に吹き付けられる空気の量が減少し、結露が乾燥しにくくなるからである。
このように、ファンに付着した結露が成長すると、ファンの回転によって、結露した水分が飛散してしまう。たとえば、室内機の下などの空調空間に家電製品などが載置されていた場合には、この飛散した水分によって故障の原因となる恐れがある。
【０００４】
ところで、冷房運転或いはドライ運転後に、室内機の熱交換器の結露を抑制し、空調空間に水分が漏出してしまうことを未然に防止する空気調和機が提案されている（たとえば、特許文献１参照）。この特許文献１に記載の技術は、冷房運転或いはドライ運転の停止後、送風機（室内ファン）を所定期間高速運転させて、熱交換器を乾燥するようにしたものである。そして、特許文献１に記載の技術は、送風機を所定期間高速運転するので、ファンに付着した結露も乾燥させることができる。
【先行技術文献】
【特許文献】
【０００５】
【特許文献１】特開２０００−２３０７４５号公報（たとえば、請求項１及び明細書の段落［００６２］参照）
【発明の概要】
【発明が解決しようとする課題】
【０００６】
特許文献１に記載の技術は、冷房運転或いはドライ運転の停止後、送風機を所定期間高速運転させて熱交換器を乾燥させるものであるが、送風機を運転させることで発生する騒音の抑制に対する対策がされていないため、ユーザーに不快感を与えてしまう恐れがあった。
【０００７】
本発明は、上記のような課題を解決するためになされたもので、騒音を抑制しながら室内ファンのファンに付着した結露を乾燥させる空気調和機を提供することを目的としている。
【課題を解決するための手段】
【０００８】
本発明に係る空気調和機は、圧縮機、室外熱交換器、膨張弁、及び室内熱交換器を接続した冷凍サイクルを有し、圧縮機、及び室外熱交換器が少なくとも備えられた室外機と、室内熱交換器、室内熱交換器に室内空気を送る室内ファン、及び室内熱交換器により熱交換された空気の吹出し方向を調整する風向変更手段が少なくとも備えられた室内機と、を接続した空気調和機において、冷房運転を行い室内温度が目標温度を下回り、圧縮機が停止した際に、室内ファンのファン回転数が所定値以下のときには、室内ファンのファン回転数の増大による騒音の大きさが、室内機に冷媒が流れている状態における該冷媒の流れに起因して室内機で発生する騒音の大きさの範囲内となるように、室内ファンのファン回転数を増大させるものである。
【発明の効果】
【０００９】
本発明に係る空気調和機は、室内ファンのファン回転数を上記のように制御するので、騒音を抑制しながらファンに付着した結露を乾燥させることができる。
【図面の簡単な説明】
【００１０】
【図１】本発明の実施の形態に係る空気調和機の室内機の全体図である。
【図２】図１に示す室内機の点線Ａ−Ａにおける断面図である。
【図３】本発明の実施の形態に係る空気調和機の冷媒回路構成の一例を示すものである。
【図４】本発明の実施の形態に係る空気調和機の圧縮機の運転時又は停止時における、室内ファンのファン回転数及び室内温度について説明するものである。
【発明を実施するための形態】
【００１１】
以下、本発明の実施の形態を図面に基づいて説明する。
図１は、本発明の実施の形態に係る空気調和機１００の室内機１０１の全体図である。図２は、（ａ）が図１に示す室内機１０１の点線Ａ−Ａにおける断面図であり、（ｂ）が図２に示すＢの領域の拡大図である。図３は、本発明の実施の形態に係る空気調和機１００の冷媒回路構成の一例を示すものである。
なお、図１を含め、以下の図面では各構成部材の大きさの関係が実際のものとは異なる場合がある。
【００１２】
［室内機１０１の構成］
図３に示すように、本実施の形態に係る空気調和機１００は、室内機１０１及び室外機１０２を有している。そして、図１に示すように、室内機１０１は、ケーシング５及びケーシング５の前面に設けられるパネル１９によって、室内機１０１の外郭が構成されている。ここで、図１では、室内機１０１が壁掛け型である例を図示しているが、天井埋込型などでもよい。
【００１３】
図１及び図２に示すように、ケーシング５には、室内空気を室内機１０１内に吸い込むための吸込口６、及び空調空気を室内に供給するための吹出口３が形成されている。また、ケーシング５には、後述の吸込口６から吹出口３までの風路のうち、後述の室内ファン４から吹出口３までを接続する風路５Ａが形成されている。
ケーシング５には、吹出口３から吹き出される空調空気の風向を変更する風向変更手段３０と、上フラップ１、下フラップ２及び左右ベーン８のそれぞれを軸回転させる傾動手段（図示省略）と、吸込口６から吹出口３までの風路５Ａに配設され、冷媒の温熱又は冷熱を空気に伝達して空調空気を生成する室内熱交換器７と、吸込口６から空気を吸い込み吹出口３から空気を吹き出す室内ファン４とを有している。
【００１４】
吸込口６は、室内ファン４によって強制的に室内空気を室内機１０１内部に取り込む開口である。吸込口６はケーシング５の上面に開口形成されている。なお、図１及び図２では、この吸込口６は、ケーシング５の上面にのみ開口形成されている例を図示しているが、パネル１９に開口形成されていてもよいことは言うまでもない。また、この吸込口６の形状は、特に、限定されるものではない。
吹出口３は、吸込口６から吸い込まれ、室内熱交換器７を通過した空気を室内に供給する際に、当該空気が通過する開口である。吹出口３は、パネル１９に開口形成されている。なお、吹出口３の形状は、特に限定されるものではないが、図１に図示されるようにたとえば室内機１０１の長手方向を長辺とする略長方形状などとするとよい。
【００１５】
本実施の形態に係る空気調和機１００は、風向変更手段３０が、上フラップ１、下フラップ２及び左右ベーン８から構成されている。
上フラップ１及び下フラップ２は、吹出口３に回転自在に設けられ、吹出口３から吹き出される空調空気の風向の上下を変更するものである。つまり、上フラップ１及び下フラップ２は、空調時において所定の回転角度を保ったり、回転角度を変化させたりしながら吹き出される空調空気の上下方向を調整するものである。
上フラップ１は、吹出口３の上側に設けられたシャフト１Ａに回転自在に設けられている。また、下フラップ２は、吹出口３の下側に設けられたシャフト２Ａに回転自在に設けられている。なお、シャフト１Ａ及びシャフト２Ａは、室内機１０１の長手方向と平行な方向となるように設けられている。このシャフト１Ａ及びシャフト２Ａは、傾動手段（図示省略）に接続されている。そして、この傾動手段の動力によってシャフト１Ａ及びシャフト２Ａが回転し、それによって上フラップ１及び下フラップ２が回転するようになっている。
上フラップ１及び下フラップ２の形状は、特に限定されるものではないが、図１及び図２に図示されるように、たとえば長辺と短辺を有した平面が略長方形状をしているとよい。
【００１６】
左右ベーン８は、室内ファン４から吹出口３までを接続する風路５Ａの上フラップ１及び下フラップ２の上流側に回転自在に設けられ、吹出口３から吹き出される空調空気の風向の左右を変更するものである。つまり、左右ベーン８は、空調時において所定の回転角度を保ったり、回転角度を変化させたりしながら吹き出される空調空気の左右方向を調整するものである。
左右ベーン８は、一端が風路５Ａの上側に設けられたシャフト８Ａに回転自在に設けられている。なお、シャフト８Ａは、風路５Ａの上側を構成する平面に対して直交するように設けられている。このシャフト８Ａは、傾動手段（図示省略）に接続されている。そして、この傾動手段の動力によってシャフト８Ａが回転し、それによって左右ベーン８が回転するようになっている。
左右ベーン８の形状は、特に限定されるものではないが、図２に図示されるように、たとえば平板板形状であるとよい。
【００１７】
傾動手段（図示省略）は、上フラップ１、下フラップ２及び左右ベーン８を回転させるものである。この傾動手段は、たとえばシャフト１Ａ、シャフト２Ａ、及びシャフト８Ａのそれぞれに接続されたモーターなどで構成するとよい。
【００１８】
室内熱交換器７は、冷房運転時において、蒸発器として機能して空気を冷却し、暖房運転時において、凝縮器（放熱器）として機能して空気を加温するものである。この室内熱交換器７は、吸込口６から吹出口３までの風路５Ａ（ケーシング５内部の中央部）であって、室内ファン４の上流側に配設されている。また、室内熱交換器７の形状は、その縦断面が略Ｖ字を逆さにした形状をしているものを図示している。つまり、室内熱交換器７の形状は、室内ファン４の前面及び上面を取り囲むような形状をしているが、特に限定されるものではない。
【００１９】
室内ファン４は、吸込口６から室内空気を吸い込み、吹出口３から空調空気を吹き出すためのものである。室内ファン４は、吸込口６から吹出口３までの風路５Ａであって、室内熱交換器７の下流側に配設されている。なお、室内ファン４としては、たとえばクロスフローファンを採用するとよい。
本実施の形態に係る空気調和機１００の室内ファン４は、図４に図示されるように、室内ファン４の運転時回転数として、ＨｉとＭｅとＬｏの計３つが設定されている。ＨｉとＭｅとＬｏの回転数の大小関係は、Ｈｉ＞Ｍｅ＞Ｌｏとなっている。ここで、Ｈｉにおけるファン回転数がたとえば１２００（ｒｐｍ）、Ｍｅにおけるファン回転数が９４０ｒｐｍ、Ｌｏにおけるファン回転数がたとえば７００ｒｐｍなどとするとよい。なお、以下の説明において、室内ファン４の運転時回転数としてＨｉとＭｅとＬｏの計３つが設定されているものとして説明するが、２つ以上設定されていればよい。
【００２０】
［空気調和機１００の冷媒回路構成］
図３に示すように、空気調和機１００は、冷媒回路を流通する冷媒を圧縮する圧縮機１２、冷媒回路における流路を切り替える四方弁１７、余剰冷媒を蓄えて圧縮機１２に冷媒を供給するマフラー１８、冷媒の冷熱又は温熱を空気に伝達して空調空気を生成する室外熱交換器１３、冷媒を減圧し膨張させる膨張弁１６、及び冷媒の温熱又は冷熱を空気に伝達して空調空気を生成する室内熱交換器７を有している。そして、これらが冷媒配管で接続されて冷凍サイクルを構成している。
【００２１】
なお、室外熱交換器１３には、外気と冷媒との熱交換を促進する室外ファン１４が設置され、室内熱交換器７には、室内空気と冷媒との熱交換を促進する室内ファン４が設置されている。
また、室内機１０１には、室内熱交換器７を流れる冷媒の温度を検知する管温サーミスタ９、及び室内の温度を検知する室温サーミスタ１１が設けられている。なお、図２では、管温サーミスタ９及び室温サーミスタ１１を図示していない。また、室外機１０２には、室外の温度を検知する外気温サーミスタ１５が設けられている。
さらに、制御装置３１が、マイコン等で構成されて設けられており、管温サーミスタ９、室温サーミスタ（室温検知手段）１１及び外気温サーミスタ１５の検出結果やリモコン（遠隔制御装置）からの指示に基づいて、圧縮機１２のＯＮ／ＯＦＦ、室内ファン４及び室外ファン１４のファン回転数（ＯＮ／ＯＦＦ含む）、四方弁１７の切り替え、膨張弁１６の開度を制御し、後述する冷房運転、除湿運転及び暖房運転を実行するようになっている。
【００２２】
圧縮機１２は、冷媒を吸入し、その冷媒を圧縮して高温・高圧の状態にして冷媒回路に搬送するものである。この圧縮機１２は、冷房運転時において、一方が四方弁１７を介して室外熱交換器１３に接続され、他方が四方弁１７を介して室内熱交換器７に接続されている。本実施の形態に係る空気調和機１００の圧縮機１２は、運転時における回転数が一定となっている。つまり、圧縮機１２は、運転状態（ＯＮ）において常に一定の回転数で動作し、待機状態（ＯＦＦ）において停止するものである。
マフラー１８は、暖房運転と冷房運転の違いによる余剰冷媒や、過渡的な運転の変化に対する余剰冷媒を蓄えるものである。このマフラー１８は、圧縮機１２の吸引側に接続されている。
四方弁１７は、暖房運転時における冷媒の流れと冷房運転時における冷媒の流れを切り替えるものである。この四方弁１７は、暖房運転時において、圧縮機１２の吐出側と室内熱交換器７を接続するとともに、圧縮機１２の吸引側と室外熱交換器１３を接続する（図３の破線矢印参照）。また、冷房運転時において、圧縮機１２の吐出側と室外熱交換器１３を接続するとともに、圧縮機１２の吸引側と室内熱交換器７を接続する（図２の実線矢印参照）。
【００２３】
室外熱交換器１３は、暖房運転時には蒸発器として機能し、冷房運転時には放熱器（ガスクーラー）として機能し、室外ファン１４から供給される外気と冷媒との間で熱交換を行なうものである。この室外熱交換器１３は、一方が四方弁１７に接続され、他方が膨張弁１６に接続されている。室外熱交換器１３は、たとえば冷媒配管を流れる冷媒とフィンを通過する空気との間で熱交換ができるようなプレートフィンアンドチューブ型熱交換器で構成するとよい。
膨張弁１６は、冷媒回路を流通する冷媒を減圧して膨張させるものである。膨張弁１６は、一方が室外熱交換器１３に接続され、他方が室内熱交換器７に接続されている。この膨張弁１６は、開度が可変に制御可能なもの、たとえば電子式膨張弁などで構成するとよい。
室内熱交換器７は、上述のように冷房運転時には蒸発器として機能し、暖房運転時には放熱器（ガスクーラー）として機能し、室内ファン４から供給される室内空気と冷媒との間で熱交換を行なうものである。この室内熱交換器７は、一方が四方弁１７に接続され、他方が膨張弁１６に接続されている。室内熱交換器７は、たとえば冷媒配管を流れる冷媒とフィンを通過する空気との間で熱交換ができるようなプレートフィンアンドチューブ型熱交換器で構成するとよい。
【００２４】
［空気調和機１００の冷凍サイクルの動作］
図３を参照しながら、同図で示される冷媒回路の冷凍サイクル動作について説明する。
図３において、冷房運転時及び除湿運転時には、冷媒回路内の冷媒は実線で示す矢印の方向に流れ、一方、暖房運転には、冷媒回路内の冷媒は破線で示す矢印の方向に流れる。
【００２５】
まず、冷房運転（除湿運転）について説明する。冷房運転開始時に、冷媒回路内の冷媒が図３の実線で示す方向に流れるように、四方弁１７の接続が切り替えられる。圧縮機１２によって圧縮され吐出された気体冷媒は、四方弁１７を経由して、室外熱交換器１３へ流入する。この室外熱交換器１３に流入した気体冷媒は、室外ファン１４から供給される外気と熱交換が実施されて凝縮し、室外熱交換器１３から流出する。この室外熱交換器１３から流出した冷媒は、膨張弁１６に流入し、この膨張弁１６によって膨張され減圧される。減圧された冷媒は、室内熱交換器７に流入し、室内ファン４から供給される室内空気と熱交換が実施されて気化し、室内熱交換器７から流出する。この室内熱交換器７から流出した気体冷媒は、四方弁１７及びマフラー１８を介して圧縮機１２に吸引される。
【００２６】
次に、暖房運転について説明する。暖房運転開始時に、冷媒回路内の冷媒が図３に示す破線で示す方向に流れるように、四方弁１７の接続が切り替えられる。圧縮機１２によって圧縮され吐出された気体冷媒は、四方弁１７を経由して、室内熱交換器７に流入する。この室内熱交換器７に流入した気体冷媒は、室内ファン４から供給される室内空気と熱交換が実施され凝縮し、室内熱交換器７から流出する。この室内熱交換器７から流出した冷媒は、膨張弁１６に流入し、この膨張弁１６によって膨張され減圧される。減圧された冷媒は、室外熱交換器１３に流入し、室外ファン１４から供給される室外空気と熱交換が実施されて気化し、室外熱交換器１３から流出する。この室外熱交換器１３から流出した気体冷媒は、四方弁１７及びマフラー１８を介して圧縮機１２に吸引される。
【００２７】
［冷房運転時の室内ファン４のファン回転数について］
図４は、本発明の実施の形態に係る空気調和機１００の圧縮機１２の運転時又は停止時における、室内ファン４のファン回転数及び室内温度について説明するものである。なお図４（ａ）は、冷房運転時の圧縮機１２の運転状態（ＯＮ又はＯＦＦ）を表している。また、図４（ｂ）は、冷房運転時の圧縮機１２の運転状態（ＯＮ又はＯＦＦ）における室内ファン４のファン回転数の変化を表している。さらに、図４（ｃ）は、冷房運転時の圧縮機１２の運転状態（ＯＮ又はＯＦＦ）における室内空気温度の変化を表している。ここで、図４（ｃ）における温調切り温度とは圧縮機１２の停止に対応し、温調入り温度とは圧縮機１２の運転に対応する。
図１〜図４を参照して冷房運転時の室内ファン４のファン回転数について説明する。
図４の期間Ｔ１、期間Ｔ２及び期間Ｔ３で示される間は、空気調和機１００が冷房運転を実施している。
【００２８】
（期間Ｔ１）
期間Ｔ１における冷房運転時においては、圧縮機１２が、リモコン（遠隔制御装置）などによってユーザーに設定された温調切り温度に室内温度が達するまで運転を継続する。つまり、室温サーミスタ１１の検出結果が温調切り温度に達するまで、制御装置３１は、圧縮機１２の運転を継続させる。
【００２９】
（期間Ｔ２）
期間Ｔ２における冷房運転時においては、圧縮機１２が、リモコンなどによってユーザーに設定された温調入り温度に室内温度が達するまで運転を停止する。つまり、室温サーミスタ１１の検出結果が温調入り温度に達するまで、制御装置３１は、圧縮機１２の運転を停止する。なお、期間Ｔ２において室内ファン４は、Ｈｉ、Ｍｅ又はＬｏのいずれかで運転している。ここで、図４（ｂ）に示すように、室内ファン４のファン回転数が所定値以下で運転している場合には、室内ファン４に付着した結露を乾燥させるために回転数を増大させる。
この理由は、室内ファン４のファン回転数が遅いＬｏで運転していると、回転数が遅い分だけファンに付着した結露に吹き付けられる空気の量が減少し結露が乾燥しにくくなるので、回転数を増大させることでファンの乾燥を促進させるためである。
本実施の形態に係る空気調和機１００におけるファン回転数の所定値とは、Ｌｏに対応している。ファン回転数の所定値としては、たとえばファンへの結露が起こりやすい８００ｒｐｍを採用するとよい。なお、所定値は、室内機１０１の設置場所や室内ファン４の種類に応じて変更する。
【００３０】
ここで、期間Ｔ２における冷房運転時においては、圧縮機１２が停止しており冷媒が循環しないので、室内機１０１内の室内熱交換器７や冷媒配管などから発生する冷媒音がなくなっている。たとえば、圧縮機１２の運転時における冷媒音の騒音レベルが約１ｄＢＡである場合には、期間Ｔ２時においてこの約１ｄＢＡ分の騒音がなくなることになる。なお、ｄＢＡとは、人間の聴覚に合うように周波数に応じて重み付けした音圧レベルを指す。そこで、室内ファン４のファン回転数の増大分の騒音レベルが、１ｄＢＡ程度以下となっていると、期間Ｔ２での騒音レベルは、期間Ｔ１と同等以下に抑えることができるということになる。
【００３１】
換言すれば、室内ファン４のファン回転数の増大量を、室内ファン４のファン回転数の増大による騒音の大きさが、室内機１０１（室内熱交換器７や冷媒配管など）に冷媒が流れている状態において、該冷媒の流れに起因して室内機１０１で発生する騒音の大きさの範囲内になるようにすれば、期間Ｔ２での騒音レベルは、期間Ｔ１と同等以下に抑えることができるということである。
なお、増大した後のファン回転数の上限値としては、たとえばＭｅとＬｏの差の１／４とするとよい。たとえば、Ｍｅが９４０ｒｐｍ、Ｌｏが７００ｒｐｍの場合には、（９４０−７００）÷４より増大分の上限が６０ｒｐｍとなる。図４（ｂ）では、室内ファン４の回転数がＬｏである場合に、５０ｒｐｍ回転数が増大している例を示している。また、この増大した後のファンの回転数の上限値としては、たとえば設定されているファン回転数のうち最高回転数（Ｈｉ）と最低回転数（Ｌｏ）の中央値と、最低回転数との差の１／４と、を最低回転数に加えたものを上限値としてもよい。
ただし、期間Ｔ２時に、ユーザーがリモコンから、室内ファン４の風量を指示した場合には、その指示を優先するものとする。また、室内ファン４の回転数がＨｉ又はＭｅである場合には、室内ファン４のファン回転数を変更しないものとする。
【００３２】
さらに、期間Ｔ２における冷房運転時において、上フラップ１、下フラップ２及び左右ベーン８を回転させて吹出口３を開放し、室内ファン４から吹き出される空気の風量が最大となるように変更する。ここで、上フラップ１及び下フラップ２を回転させて吹出口３を開放するとは、図２（ｂ）に図示されるように、上フラップ１及び下フラップ２を吹出口３の開口面に対して直交させる角度とするということである。また、左右ベーン８を回転させて吹出口３を開放するとは、左右ベーン８を室内機１０１の側面と略平行とするということである。なお、期間Ｔ１から期間Ｔ２に移る際に、上フラップ１、下フラップ２及び左右ベーン８が吹出口３を開放している場合には、上フラップ１、下フラップ２及び左右ベーン８を回転させないでよい。
【００３３】
この際、吹出口３を開放することで、上フラップ１、下フラップ２及び左右ベーン８による圧力損失を低減し、室内ファン４のファンを高効率に乾燥させることができる。
【００３４】
（期間Ｔ３）
期間Ｔ３における冷房運転時においては期間Ｔ１と同様に、圧縮機１２が、リモコンなどによってユーザーに設定された温調切り温度に室内温度が達するまで運転を継続する。つまり、室温サーミスタ１１の検出結果が温調切り温度に達するまで、制御装置３１は、圧縮機１２の運転を継続する。
そして、期間Ｔ２において室内ファン４がＬｏ＋増大分で運転していた場合には、制御装置３１は、リモコンなどによってユーザーに設定された元の回転数（Ｌｏ）で、室内ファン４を運転させる。
【００３５】
［空気調和機１００の有する効果］
本実施の形態に係る空気調和機１００は、冷房運転時において圧縮機１２の運転が停止した際に室内ファン４がＬｏに設定されていると、たとえばＭｅとＬｏの回転数の差の１／４を上限として回転数を増大させる。これにより、ファンの回転数を増大させる分だけ、室内ファン４のファンに付着した結露の乾燥が促進できるので、室内に水分が飛散することが抑制される。また、室内ファン４のファン回転数が増大しても、冷房運転時における圧縮機１２が運転している際に発生する騒音と同等以下に抑えることができる。
また、本実施の形態に係る空気調和機１００は、冷房運転時に圧縮機１２の運転が停止した際に、上フラップ１、下フラップ２及び左右ベーン８を回転させて吹出口３を開放するので、上フラップ１、下フラップ２及び左右ベーン８による圧力損失を低減し、室内ファン４のファンを高効率に乾燥させることができる。
【符号の説明】
【００３６】
１  上フラップ、１Ａ  シャフト、２  下フラップ、２Ａ  シャフト、３  吹出口、４  室内ファン、５  ケーシング、５Ａ  風路、６  吸込口、７  室内熱交換器、８  左右ベーン、８Ａ  シャフト、９  管温サーミスタ、１１  室温サーミスタ（室温検知手段）、１２  圧縮機、１３  室外熱交換器、１４  室外ファン、１５  外気温サーミスタ、１６  膨張弁、１７  四方弁、１８  マフラー、１９  パネル、３０  風向変更手段、３１  制御装置、１００  空気調和機、１０１  室内機、１０２  室外機。
【図１】
2012184886.tif 000003
【図２】
2012184886.tif 000004
【図３】
2012184886.tif 000005
【図４】
2012184886.tif 000006